(57)【特許請求の範囲】
【請求項１】
灯器具のソケットに電気的に接続されて光を照射する光源を形成する照明装置において、
前記ソケットに電気的に接続される端子を有する中空状の端子部材と、
前記端子部材の前記ソケットが設けられる側の反対側に設けられ、円板状を呈し、外周縁に沿って形成される多数の第１突起と、前記端子部材が設けられる側の反対側の周縁に沿って互いに所定の距離を隔てて隔設される第１嵌合溝とを有し、照明からの熱を放熱する第１放熱板と、
中央に貫設される第１熱排出孔と、前記第１放熱板が設けられる側に形成され、前記第１嵌合溝と対応する第２嵌合溝とを有し、前記第１放熱板と所定の距離を隔てて配設され、照明からの熱を放熱する第２放熱板と、
前記端子と電気的に接続されるバー状の第１回路基板と、該第１回路基板の長手方向に沿って配列されて光を照射する複数の第１ＬＥＤと、前記第１回路基板が載置されて第１ＬＥＤからの熱を放熱する第３放熱板と、該第３放熱板の前記第１回路基板が載置された側に外嵌される放熱カバーと、を有し、前記第１放熱板と前記第２放熱板との間に設けられ、前記第１嵌合溝及び前記第２嵌合溝に左右両端がそれぞれ嵌設される複数の照明部材と、
を備え、
前記照明部材には、第１嵌合溝及び第２嵌合溝によって前記第１放熱板と前記第２放熱板とが互いに所定の距離を隔ててそれぞれ係合されて照明部材同士の間に空気通路が形成される、ＬＥＤ照明装置。
【請求項２】
前記第２放熱板の前記照明部材が設けられる側の反対側にはカバーがさらに設けられ、
該カバーと前記第２放熱板との間には、中央に貫設される第２熱排出孔を有し、前記端子と電気的に接続される第２回路基板がさらに設けられ、
該第２回路基板の前記第２放熱板が設けられる側の反対側には第２ＬＥＤがさらに設けられる、請求項１に記載のＬＥＤ照明装置。
【請求項３】
前記第２放熱板と第１放熱板との間には、中空のパイプ状の第４放熱板がさらに設けられ、照明からの熱を放熱するとともに、前記第４放熱板の内部を介して前記端子と前記第２回路基板とが電気的に接続される、請求項２に記載のＬＥＤ照明装置。
【請求項４】
前記それぞれの照明部材の第３放熱板は、長手方向に延び、長手方向に垂直な断面が複数の突起が形成された形状を呈し、前記第１回路基板が載置される載置部と、その載置部の下方に延設される複数の第２突起と、前記載置部の反対側に向かい合って延びて係合孔を形成する一対の第３突起と、を有し、
前記第３放熱板は、前記第１放熱板及び前記第２放熱板に貫通されるボルトが前記係合孔に嵌合される、請求項１に記載のＬＥＤ照明装置。
【請求項５】
前記端子部材と第１放熱板との間には安定器カバーがさらに設けられ、
前記端子部材と前記第１放熱板にはそれぞれ周縁に沿って互いに対応する第１係合部材及び第２係合部材がさらに設けられ、
前記端子部材と前記第１放熱板とは、前記第１係合部材を貫通して前記第２係合部材に固定されるボルトによって脱着される、請求項１に記載のＬＥＤ照明装置。
【発明の詳細な説明】
【技術分野】
【０００１】
本発明は発光ダイオード（ＬＥＤ）照明装置に係り、さらに詳しくは、放熱性が良好になることから、高い電力を必要とするＬＥＤ照明装置に適用可能なＬＥＤ照明装置に関する。
【背景技術】
【０００２】
近年、高速道路、市街地の主な道路、商業地区道路、住宅地区道路、公園などの外部照明灯またはデパート、工場、商業建物などの内部照明灯のために、百熱灯やハロゲン灯などに比べて消費電力が少なく、エネルギー効率が高く、長時間の寿命が保証されるＬＥＤ照明装置が次第に増えつつある。
【０００３】
このようなＬＥＤ照明装置は、高い電力を必要とする上記の外部照明灯または内部照明灯として設けられるとき、高熱が発生するために寿命が短縮するという問題がある。従来は、単に放熱板のみを用いてＬＥＤの熱を放熱していたため、ＬＥＤの寿命を期待以上のレベルまで延ばすのには限界があった。
【０００４】
例えば、特許文献１には、外部に設けられる灯器具のソケットと電気的に接続されるバー状の第１回路基板に長さに沿って配列されて光を照射する複数の第１ＬＥＤと、外周縁に第１ＬＥＤが配列された第１回路基板を固定するための面を提供し、内部には開口された左右両端を介して外部と連絡される岐路が形成された管状の金属体と、を備え、第１回路基板は金属体の外周縁に沿って多数配列されることにより、いかなる角度からも第１ＬＥＤが光を照射し、金属体には第１ＬＥＤが配列された第１回路基板を覆って保護するための弧状の第１カバーが設けられ、金属体は、開口された一方の端が、ソケットに係合されて電気的に接続される端子を有する中空状のベースの下面に形成される連絡孔を介して岐路がベースの内部と連絡するように固設されて第１回路基板を固定するための面を提供し、第１回路基板は、ベースの端子と電気的に接続されて第１ＬＥＤにソケットからの電源を供給し、ベースの側面には、ベースの内部を外部と連絡するための第１通孔が形成されて金属体の岐路が金属体の開口された一方の端、連絡孔、ベースの内部及び第１通孔を経て外部と連絡し、第１ＬＥＤの発光により発生する熱が第１回路基板を経て金属体に伝わると、金属体の開口された他方の端を介して岐路に空気が流入して金属体の開口された一方の端、連絡孔、ベースの内部及び第１通孔を経て外部に抜け出る気流が形成され、金属体に伝導される第１ＬＥＤの熱はその気流に放出されて冷却されることを特徴とするＬＥＤ照明装置が開示されている。
【先行技術文献】
【特許文献】
【０００５】
【特許文献１】大韓民国登録特許公報第１０−０９６８２７０号
【発明の概要】
【発明が解決しようとする課題】
【０００６】
しかし、特許文献１に記載の技術は、ＬＥＤ照明からの熱が金属体の岐路を介して下から上に排出されるため、岐路を通過する空気が限定されており、電力が５０ｗを超える場合に放熱効果が低下することがあった。また、特許文献１に記載の技術は、ＬＥＤを１枚の放熱板で支持するため、メンテナンスに限界があった。
【０００７】
そこで、本発明は、上記問題に鑑みてなされたものであり、本発明の目的とするところは、放熱性が良好になることから、高い電力を必要とするＬＥＤ照明装置に適用可能なＬＥＤ照明装置を提供することである。
【０００８】
また、本発明の他の目的は、簡単にメンテナンスを行うことのできるＬＥＤ照明装置を提供することである。
【課題を解決するための手段】
【０００９】
上記課題を解決するために、本発明のある観点によれば、ソケットに電気的に接続される端子を有する中空状の端子部材と、端子部材のソケットが設けられる側の反対側に設けられ、円板状を呈し、外周縁に沿って形成される多数の第１突起と、前記端子部材が設けられる側の反対側の周縁に沿って互いに所定の距離を隔てて隔設される第１嵌合溝とを有し、照明からの熱を放熱する第１放熱板と、中央に貫設される第１熱排出孔と、第１放熱板が設けられる側に形成され、第１嵌合溝と対応する第２嵌合溝とを有し、第１放熱板と所定の距離を隔てて配設され、照明からの熱を放熱する第２放熱板と、端子と電気的に接続されるバー状の第１回路基板と、第１回路基板の長手方向に沿って配列されて光を照射する複数の第１ＬＥＤと、第１回路基板が載置されて第１ＬＥＤからの熱を放熱する第３放熱板と、第３放熱板の第１回路基板が載置された側に外嵌される放熱カバーと、を有し、第１放熱板と第２放熱板との間に設けられ、第１嵌合溝及び第２嵌合溝に左右両端がそれぞれ嵌設される複数の照明部材と、を備え、照明部材は、第１嵌合溝及び第２嵌合溝によって第１放熱板と第２放熱板とが互いに所定の距離を隔ててそれぞれ係合されて照明部材同士の間に空気通路が形成される、ＬＥＤ照明装置が提供される。
【００１０】
第２放熱板の照明部材が設けられる側の反対側にはカバーがさらに設けられ、カバーと第２放熱板との間には、中央に貫設される第２熱排出孔を有し、端子と電気的に接続される第２回路基板がさらに設けられ、第２回路基板の第２放熱板が設けられる側の反対側には第２ＬＥＤがさらに設けられてもよい。
【００１１】
第２放熱板と第１放熱板との間には、中空のパイプ状の第４放熱板がさらに設けられ、照明からの熱を放熱するとともに、第４放熱板の内部を介して端子と第２回路基板とが電気的に接続されてもよい。
【００１２】
それぞれの照明部材の第３放熱板は、長手方向に延び、長手方向に垂直な断面が複数の突起が形成された形状を呈し、第１回路基板が載置される載置部と、その載置部の下方に延設される複数の第２突起と、載置部の反対側に向かい合って延びて係合孔を形成する一対の第３突起と、を有し、第３放熱板は、第１放熱板及び第２放熱板に貫通されるボルトが係合孔に嵌合されてもよい。
【００１３】
端子部材と第１放熱板との間には安定器カバーがさらに設けられ、端子部材と第１放熱板にはそれぞれ周縁に沿って互いに対応する第１係合部材及び第２係合部材がさらに設けられ、端子部材と第１放熱板とは、第１係合部材を貫通して第２係合部材に固定されるボルトによって脱着されてもよい。
【発明の効果】
【００１４】
以上説明したように本発明によれば、ＬＥＤ照明装置の放熱性を良好にすることができる。これにより、高い電力を必要とするＬＥＤ照明装置に適用可能なＬＥＤ照明装置を提供できる。
【００１５】
また、本発明によれば、ＬＥＤ照明装置のメンテナンスを簡単に行うことができる。
【図面の簡単な説明】
【００１６】
【図１】本発明の一実施形態に係るＬＥＤ照明装置の全体斜視図である。
【図２】本発明の一実施形態に係るＬＥＤ照明装置の分解斜視図である。
【図３】本発明の一実施形態に係るＬＥＤ照明装置の側面図である。
【図４】本発明の一実施形態に係るＬＥＤ照明装置のＡ−Ａ断面図である。
【図５】本発明の一実施形態に係るＬＥＤ照明装置の照明装置の詳細を示す拡大図である。
【図６】本発明の一実施形態に係るＬＥＤ照明装置の第３放熱板の詳細を示す拡大図である。
【図７】本発明の一実施形態に係るＬＥＤ照明装置の空気の流れを示す説明図である。
【発明を実施するための形態】
【００１７】
以下、添付図面に基づき、本発明の好適な実施形態によるＬＥＤ照明装置について詳細に説明する。なお、本明細書及び図面において、実質的に同一の機能構成を有する構成要素については、同一の符号を付することにより重複説明を省略する。
【００１８】
図１は、本発明の一実施形態に係るＬＥＤ照明装置の全体斜視図である。図２は、本発明の一実施形態に係るＬＥＤ照明装置の分解斜視図である。図３は、本発明の一実施形態に係るＬＥＤ照明装置の側面図である。図４は、本発明の一実施形態に係るＬＥＤ照明装置のＡ−Ａ断面図である。図５は、本発明の一実施形態に係るＬＥＤ照明装置の照明装置の詳細を示す拡大図である。図６は、本発明の一実施形態に係るＬＥＤ照明装置の第３放熱板の詳細を示す拡大図である。図７は、本発明の一実施形態に係るＬＥＤ照明装置の空気の流れを示す説明図である。
【００１９】
本発明のＬＥＤ照明装置は、高速道路、市街地の主な道路、商業地区道路、住宅地区道路、公園などの外部照明灯またはデパート、工場、商業建物などの内部照明灯（以下、「灯器具」と称する。）のソケットに取り付けられて、用いられる。図１〜図７に示すように、本発明のＬＥＤ照明装置は、端子部材１００と、第１放熱板２００と、第２放熱板３００と、照明部材４００とを備える。
【００２０】
端子部材１００は、図１〜図３に示すように、灯器具のソケットに係合されて電気的に接続される端子１１０を有する。
【００２１】
また、端子部材１００は、半円球状を呈する中空状の形状であるため、見栄えがよい。
【００２２】
このとき、端子部材１００と第１放熱板２００との間には、円筒状の安定器カバー１５０がさらに設けられる。安定器カバー１５０の内部には、安定器（図示せず）が載置される。端子１１０を介して印加されるソケットの電源は、安定器により直流電源に変換されて、光源を形成する後述の第１ＬＥＤ４３０に供給されることが好ましい。
【００２３】
安定器としては、ＳＭＰＳ（ＳＷＩＴＣＨＥＤ−ＭＯＤＥ  ＰＯＷＥＲ  ＳＵＰＰＬＹ）が用いられることが好ましい。
【００２４】
このような安定器カバー１５０は、安定器を防水・密閉することにより、湿気から安定器を安定的に保護する。
【００２５】
このとき、安定器のメンテナンスを行う際に、安定器が載置される安定器カバー１５０の脱着を容易にするために、端子部材１００及び第１放熱板２００にはそれぞれの周縁に沿って互いに対応する位置に、第１係合部材１６０及び第２係合部材２６０がさらに設けられる。端子部材１００及び第１放熱板２００は、第１係合部材１６０を貫通して第２係合部材２６０に固定されるボルト１０によって脱着可能に形成される。
【００２６】
図１〜図３に示すように、第１放熱板２００は、端子部材１００の端子１１０が設けられる側の反対側である上部に設けられ、円板状を呈する。
【００２７】
このような第１放熱板２００は、外周縁に沿って形成される多数の第１突起２１０と、上面の周縁に沿って互いに所定の距離を隔てて形成される第１嵌合溝２３０とを有する。第１放熱板２００は、後述の第１ＬＥＤ４３０が点灯しているときに、照明からの熱を受けて放熱する。
【００２８】
第１放熱板２００の材質は、熱伝導性に優れたアルミニウムであることが好ましい。
【００２９】
図１〜図３に示すように、第２放熱板３００は、第１放熱板の上部に、第１放熱板２００と所定の距離を隔てて配設され、花びら状の板状を呈する。
【００３０】
また、第２放熱板３００は、中央に貫設される第１熱排出孔３１０と、第１放熱板２００が設けられる側である下面に形成され、第１嵌合溝２３０と対応する第２嵌合溝３３０とを有する。第２放熱板３００は、後述の第１ＬＥＤ４３０が点灯しているときに、照明からの熱を受けて放熱する。
【００３１】
第２放熱板３００の材質は、熱伝導性に優れたアルミニウムであることが好ましい。
【００３２】
また、図１〜図４に示すように、第２放熱板３００の照明部材が設けられる側の反対側である上部には、花びら状の板状を呈するカバー５００がさらに設けられる。
【００３３】
カバー５００と第２放熱板３００との間には、端子１１０と電気的に接続される第２回路基板６００がさらに設けられる。第２回路基板６００は、花びら状の板状を呈し、中央に貫設される第２熱排出孔６１０を有する。第２回路基板６００の第２放熱板３００が設けられる側の反対側である上面には、互いに所定の距離を隔てて放射状に配列される第２ＬＥＤ６３０がさらに設けられてもよい。これにより、全面照明を行うことができる。
【００３４】
このとき、第２放熱板３００と第１放熱板２００との間には、図５に示すように、内部が中空のパイプ状の第４放熱板６５０が選択的にさらに設けられる。
【００３５】
第４放熱板６５０の材質は、熱伝導性に優れたアルミニウムであることが好ましい。
【００３６】
このような第４放熱板６５０は、第２ＬＥＤ６３０が点灯しているときに、照明からの熱を受けて放熱する。さらに、第４放熱板６５０は、端子１１０と第２回路基板６００とを電気的に接続させる電気的な配線を、中空の内部に収容することで、配線を保護することが好ましい。
【００３７】
照明部材４００は、図１〜５に示すように、第１放熱板２００と第２放熱板３００との間に設けられる。照明部材４００は、第１嵌合溝２３０及び第２嵌合溝３３０に左右両端がそれぞれ嵌設されて配列時に花びら状を呈し、第２放熱板３００と同じ形状に配列される。
【００３８】
このような照明部材４００は、第１回路基板４１０と、第１ＬＥＤ４３０と、第３放熱板４５０と、放熱カバー４７０とを１セットとして備える。照明部材４００は、隣り合う照明部材４００と所定の距離を隔てて設けられ、第１放熱板２００の第１嵌合溝２３０及び第２放熱板３００の第２嵌合溝３３０に左右両端がそれぞれ嵌設されて空気通路を形成する。
【００３９】
第１回路基板４１０は、端子１１０と電気的に接続されるバー状を呈し、通常の回路基板に用いられるプリント回路基板（ＰＣＢ）である。
【００４０】
第１ＬＥＤ４３０は、第１回路基板４１０の長手方向に沿って、一面に等間隔に複数配列されて光を照射する。
【００４１】
第３放熱板４５０は、第１回路基板４１０の第１ＬＥＤ４３０が配列された面と異なる他方の面に設けられる。
【００４２】
このような第３放熱板４５０は、第１ＬＥＤ４３０が配列された第１回路基板４１０が載置されることで、第１ＬＥＤ４３０からの熱を受けて放熱する。
【００４３】
第３放熱板４５０の材質は、熱伝導性に優れたアルミニウムであることが好ましい。
【００４４】
また、第３放熱板４５０は、長手方向に延び、長手方向に垂直な断面が図６に示すような複数の突起が形成された形状を呈する。第３放熱板４５０は、載置部４５１と、第２突起４５３と、係合孔４５５と、第３突起４５７とを備える。
【００４５】
載置部４５１は、第１ＬＥＤ４３０が配列された第１回路基板４１０が載置されるように平らに形成される。
【００４６】
第２突起４５３は、載置部４５１の反対側である下方に互いに対称をなすように、所定の距離を隔てて斜めに複数延設される。第２突起４５３は、第１ＬＥＤ４３０が点灯しているときに発生する熱を有効に放熱する。
【００４７】
第３突起４５７は、第２突起４５３の下方に向かい合って延びる一対の突起であり、一対の第３突起４５７の間には係合孔４５５が形成される。第３放熱板４５０は、第１放熱板２００及び第２放熱板３００に貫通されるボルト１０が係合孔４５５に嵌合されることで、第１放熱板２００及び第２放熱板３００に固定される。
【００４８】
放熱カバー４７０は、長手方向に垂直な断面が弧状を呈し、第３放熱板４５０の第１回路基板４１０が載置された側である上部に外嵌されることにより、第３放熱板４５０に載置された第１回路基板４１０を保護する。
【００４９】
第３放熱板４５０は、放熱カバー４７０が左右両端に嵌設されるため、左右両端に長手方向に沿ってカバー溝４７１が形成されることが好ましい。
【００５０】
このように、本発明に係る照明部材４００は、図７に示すように、第１嵌合溝２３０及び第２嵌合溝３３０によって第１放熱板２００と第２放熱板３００とが互いに所定の距離を隔ててそれぞれ係合され、照明部材４００同士の間に空気通路Ｚが形成される。このため、空気通路Ｚを介して外部から流入する気流により、照明部材４００からの熱が第２放熱板３００の第１熱排出孔３１０に排出されて冷却されるので、放熱性に優れた高い電力を必要とするＬＥＤ照明装置に適用可能である。また、照明部材４００及び安定器が脱着自在にそれぞれ別々に形成されることにより、簡単にメンテナンスを行うことができる。
【００５１】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【産業上の利用可能性】
【００５２】
本発明は、花びら状に配列される照明部材の側面の間に空気通路が形成され、その空気通路を介して外部から流入する気流により、照明部材からの熱が照明部材の上部に排出されて冷却されるので、放熱性に優れた高い電力を必要とするＬＥＤ照明装置に適用可能なＬＥＤ照明装置を提供する。
【００５３】
また、本発明は、照明部材及び安定器が脱着自在にそれぞれ別々に形成されるため、簡単にメンテナンスを行うことのできるＬＥＤ照明装置を提供する。
【符号の説明】
【００５４】
１０      ボルト、
１００    端子部材、
１１０    端子、
１５０    安定器カバー
１６０    第１係合部材
２００    第１放熱板
２１０    第１突起
２３０    第１嵌合溝
２６０    第２係合部材
３００    第２放熱板
３１０    第１熱排出孔
３３０    第２嵌合溝
４００    照明部材
４１０    第１回路基板
４３０    第１ＬＥＤ
４５０    第３放熱板
４５１    載置部
４５３    第２突起
４５５    係合孔
４５７    第３突起
４７０    放熱カバー
４７１    カバー溝
５００    カバー
６００    第２回路基板
６１０    第２熱排出孔
６３０    第２ＬＥＤ
６５０    第４放熱板
Ｚ        空気通路
【図１】
0005589131.tif 000002
【図２】
0005589131.tif 000003
【図３】
0005589131.tif 000004
【図４】
0005589131.tif 000005
【図５】
0005589131.tif 000006
【図６】
0005589131.tif 000007
【図７】
0005589131.tif 000008